(57)【要約】【課題】電路を構成する三相導体と、電路を区分する断路器と、電路を構成する三相導体の一方から分岐した分岐導体とを収納する断路装置を、余分な分岐容器を設けることなく構成する。【解決手段】第１の枝管３、４内に電路を構成する第１、第２の三相導体７、８を収納し、第２の枝管５、６内に、三相導体のいずれか一方に分岐接続される第３の三相導体９を収納する。電路を区分する断路器１２を、回転駆動により第１、第２の三相導体が延びる方向に可動接触子移動するように構成する。これにより、電路と断路器とを含めた高さを小さくすることができ、同一の容器内に、電路を構成する三相導体と、この電路を区分する断路器と、電路を構成する三相導体の一方から分岐した分岐導体とを収納することが可能となる。【選択図】      図３
2004320883.tif 000002
【特許請求の範囲】
【請求項１】
主管と、この主管の側部に対向して形成される１対の第１の枝管と、前記主管の側部に、前記第１の枝管と異なる方向に形成される少なくとも１個の第２の枝管とから構成される容器と、
前記１対の第１の枝管内にそれぞれ収納される第１の三相導体及び第２の三相導体と、
前記第１の三相導体と前記第２の三相導体とを区分する断路器であって、前記第１の三相導体に取り付けられた固定接触子と、前記第２の三相導体に接続され、回転駆動により前記第１及び第２の三相導体が延びる方向に移動して前記固定接触子と接触及び開離をする可動接触子とを有する断路器と、
前記第２の枝管内に収納され、前記第１の三相導体および前記第２の三相導体のいずれか一方に分岐接続される第３の三相導体と、
を具備することを特徴とするガス絶縁開閉装置用断路装置。
【請求項２】
前記断路器は、接地開閉器を兼ねるものであり、接地開閉器の固定接触子が、前記可動接触子が前記断路器の固定接触子から開離した位置でその可動接触子と接触するように配置される請求項１に記載のガス絶縁開閉装置用断路装置。
【請求項３】
前記第１の枝管と前記第２の枝管が、前記主管の軸に直交する同一平面上に形成される請求項１又は２に記載のガス絶縁開閉装置用断路装置。
【発明の詳細な説明】
【０００１】
【発明の属する技術分野】
本発明は、ガス絶縁開閉装置（以下「ＧＩＳ」と言う。）に用いられる断路装置に関するものである。
【０００２】
【従来の技術】
ＧＩＳは、大地電位の気密容器内にＳＦ６ガスなどの絶縁性の気体を封入し、その容器内に遮断器、断路器、接地開閉器などの開閉機器類を収納して構成される。ＧＩＳは変電所を構成する単線結線図に従って各機器を配置し、その優秀な絶縁性能により空気絶縁の機器で構成する変電所に比べてその敷地面積の大幅な縮小化に役立っている。
【０００３】
ＧＩＳを構成する装置として、電路を構成する三相導体と、この電路を区分する断路器と、電路を構成する三相導体の一方から分岐した分岐導体とを収納する断路装置が使用されている。
図１を用いて従来の断路装置を説明する。図１は、断路装置の内部を示すもので、容器のみを断面で示している。なお、以下に説明する各断路装置の単線結線図を図７に示して、各例の相違を明確にする。
【０００４】
断路装置の容器１を形成する主管２の側部の対向する部分に１対の枝管２２、２３が形成される。枝管２３に、分岐管路２４が取り付けられる。
枝管２２、２３内に、電路を構成する三相導体３８、３９が収納される。三相導体３８、３９は、枝管２２、２３の両端において、絶縁スペーサ１１により支持される。電路を構成する三相導体３８、３９は、断路器２５により区分される。
【０００５】
断路器２５は、一方の三相導体３８に取り付けられた固定接触子２６と、他方の三相導体３９に取り付けられた摺動接触子２７と、摺動接触子２７と摺動接触し、固定接触子２６と接触、開離する可動接触子２８とから構成される。可動接触子２８をその軸方向に駆動する駆動機構２９が、主管２の上部空間に設けられる。
【０００６】
主管２の下部に、接地開閉器３０用の容器３１が取り付けられる。三相導体３８の下部に接地開閉器３０の固定接触子３２が配置され、対向する位置に、接地開閉器３０の摺動接触子３３、可動接触子３４などが配置される。
図１のＧＩＳの場合、三相導体３８、３９、断路器２５、接地開閉器３０をコンパクトに配置している。
【０００７】
しかしながら、主管２内に分岐電路を設けようとすると、主管２の高さが高くなり、高さ制限内に納まらない場合が生じる。この場合は、枝管２２に三相導体３９を収納する分岐管路２４を取り付け、その内部で、三相導体３９から分岐導体４０を分岐していた。
【０００８】
これに対して、容器内に分岐導体を配置できるようにした断路装置（特許文献１参照）が提案されている。
図２を用いて、断路装置内に分岐導体を配置した例を説明する。（Ａ）は断路装置の正面図、（Ｂ）は側面図であり、容器、絶縁スペーサと、そのほか必要な部分のみを断面で示している。
【０００９】
以下、図１と異なる点を主に説明する。
第１の枝管３、４の下部に直交する方向に、第２の枝管５、６が形成される。
第２の枝管５、６内に、電路を構成する三相導体３８が収納され、絶縁スペーサ１１により支持される。第１の枝管３、４内に、三相の分岐導体４０が収納され、絶縁スペーサ１１により支持される。
【００１０】
三相導体３８と分岐導体４０の間に断路器２５が配置される。断路器２５は、三相導体３８に固定接触子２６が取り付けられ、分岐導体４０に摺動接触子２７が取り付けられる。
三相導体３８を接地するための接地開閉器３０が、容器１の下部に配置される。
【００１１】
図２に示した例においては、断路器２５の固定接触子２６と摺動接触子２７が三相導体３８と分岐導体４０とに取り付けられているため、同一容器１内に分岐導体９とを収納しても高さ制限内に収まる場合がある。しかしながら、図２の例は２つの電路（電路３８、分岐導体４０）を分割しているのであり、図１のように、単一の電路３９を区分する場合には、断路器及び電路の高さが大きくなるため、分岐導体９を同一容器内に収納しようとするのが困難になる。
【００１２】
【特許文献１】
特開昭５３−９８０６８号公報
【００１３】
【発明が解決しようとする課題】
以上説明したように、電路を構成する三相導体と、この電路を区分する断路器と、電路を構成する三相導体の一方から分岐した分岐導体とを収納する断路装置をコンパクトに構成することが、従来はできていなかった。近年、更なる変電所の建設コストの低減が要求されており、ＧＩＳにも更なる設置面積の縮小化が求められているが、上記の方法では対応できない。
【００１４】
本発明は、電路を構成する三相導体と、この電路を区分する断路器と、電路を構成する三相導体の一方から分岐した分岐導体とを収納する断路装置を、余分な分岐容器を設けることなく構成することを可能にし、ＧＩＳの縮小化およびコストダウンに寄与するＧＩＳ用断路装置を提供することを目的とするものである。
【００１５】
【課題を解決するための手段】
本発明は、上記目的を達成するためになされたものである。本発明のＧＩＳ用断路装置は、主管と、この主管の側部に対向して形成される１対の第１の枝管と、前記主管の側部に、前記第１の枝管と異なる方向に形成される少なくとも１個の第２の枝管とから容器が構成される。
【００１６】
前記１対の第１の枝管内に１対の第１の三相導体を収納し、前記第２の枝管内に、前記第１の三相導体および前記第２の三相導体のいずれか一方に分岐接続される第３の三相導体を収納する。
前記第１の三相導体と前記第２の三相導体とを区分する断路器を、前記第１の三相導体に取り付けられた固定接触子と、前記第２の三相導体に接続され、回転駆動により前記第１及び第２の三相導体が延びる方向に移動して前記固定接触子と接触及び開離をする可動接触子とで構成する。
【００１７】
本発明によれば、断路器の可動接触子が、回転駆動されることにより、第１及び第２の三相導体が延びる方向に移動するので、電路と断路器とを含めた高さを小さくすることができる。したがって、同一の容器内に、電路を構成する三相導体と、この電路を区分する断路器と、電路を構成する三相導体の一方から分岐した分岐導体とを収納することが可能となり、ＧＩＳの縮小化およびコストダウンに寄与することができる。
【００１８】
【発明の実施の形態】
以下、本発明の実施形態について図を用いて説明する。
（実施形態１）
図３に本発明の第１の実施形態を示す。
（Ａ）は断路装置の正面図、（Ｂ）は側面図であり、容器、絶縁スペーサのみを断面で示している。
【００１９】
断路装置の容器１を形成する主管２の側部の対向する部分に１対の第１の枝管３、４が形成される。第１の枝管３、４と直交する方向に第２の枝管５、６が形成される。
第１の枝管３、４内に、電路を構成する三相導体７、８が収納される。三相導体７、８は、断路器１２により区分される。第２の枝管５、６内に、三相の分岐導体９が収納される。分岐導体９は、接続導体１０により、電路を構成する一方の三相導体７に接続される。
【００２０】
第１の枝管４、第２の枝管５、６の端面は、隣接する容器との間を気密する絶縁スペーサ１１で気密に封鎖される。
三相導体８、分岐導体９は、絶縁スペーサ１１により支持される。
なお、図示の三相導体７、８、分岐導体９は、三相一直線状に配置しているが、三角形配置とすることもできる。
【００２１】
三相導体７、８を区分する断路器１２は、接地開閉器を兼用する３位置形断路器／接地開閉器として構成される。
断路器１２の可動接触子１３には、断路器側の可動接触子１４と接地開閉器側の可動接触子１５とが取り付けられる。
また、固定接触子としては、断路器側の固定接触子１６と接地開閉器側の固定接触子１７が設けられる。接地開閉器側の固定接触子１７は、絶縁端子１８により主管２の外部へ引き出される。
【００２２】
断路器側の固定接触子１６は、三相導体７の先端に取り付けられ、絶縁支持碍子１９により支持される。
外部からの操作により回転駆動される絶縁操作軸２０に、可動接触子１３が取り付けられる。可動接触子１３は、摺動接触子と接続導体２１により、他方の三相導体７と接続される。絶縁操作軸２０は、気密軸受け３５を通して駆動軸３６に連結される。
【００２３】
絶縁操作軸２０が回転駆動されて、断路器側の接触子１４が断路器側の固定接触子１６と接触すると、三相導体７と８が接続される。絶縁操作軸２０が逆方向に回転されると、断路器側の接触子１４が断路器側の固定接触子１６から開離して、三相導体７と８が断路される。この間、可動接触子１３は、三相導体７、８とほぼ平行して移動する。
【００２４】
更に絶縁操作軸２０が回転をすると、可動接触子１３は、三相導体７、８とほぼ直交する方向に移動をして、接地開閉器側の接触子１５が接地開閉器側の固定接触子１７と接触する。これにより、三相導体８が接地される。
可動接触子１３は、断路器として機能している間は、電路を構成する三相導体７、８とほぼ平行して移動をする。これにより、図１の従来のものと比較すると明らかなように、断路器１２と三相導体７、８の高さを小さく保つことができる。
【００２５】
また、可動接触子１３が上下方向に移動することにより接地開閉器として機能するので、接地開閉器を設けるための上下方向のスペースと可動接触子１３を駆動するための機構のスペースとを共用することができる。
断路器と接地開閉器を含む電路の高さを低減することにより、分岐用の枝管４、５を主管２に直接形成し、分岐導体９を同一容器内で分岐することができる。
したがって、ＧＩＳの縮小化およびコストダウンに寄与することができる。
【００２６】
本発明は、上記実施形態のほか、種々の変形が可能である。以下、いくつかの変形例を説明する。なお、以下の説明においては、図３と異なる点についてのみ説明し、重複する説明は省略する。
【００２７】
（変形例１）
図４に第１の変形例を示す。図４は、図３（Ｂ）の側面図に対応する。
図４の断路装置においては、分岐導体９が、断路器１２を挟んだ反対側の三相導体８に接続される。このように、本発明のＧＩＳの断路装置は、様々な単線結線図への対応が可能となる。
【００２８】
（変形例２）
図５に第２の変形例を示す。図５は、図３（Ａ）の正面図に対応する。
分岐電路は必ずしも主管２を貫通するように設けられる必要はない。図５に示すように、分岐導体用の枝管５を片側のみに設けて、分岐導体９を片側からのみ引き出すようにすることも可能である。また、分岐導体９を、三相導体７、８と９０°以外の角度を持って配置するように構成することも可能である。
【００２９】
（変形例３）
図６に第３の変形例を示す。図において、（Ａ）は正面図，（Ｂ）は側面図である。
この例は、互いに直交する電路を構成する三相導体７、８と分岐導体９とを同一平面上に配置している。この場合、各枝管３−６は、同一高さ位置に形成され、各三相導体７、８、９は絶縁スペーサ１１により同一高さに保持される。
【００３０】
電路を構成する三相導体７、８は、上記各例と同様に構成される。分岐導体９は、断路器１２の近傍では断路器１２から遠ざかるように折り曲げられる。これにより更にＧＩＳの縮小化が可能となる。
絶縁操作軸２０は、リンク機構３７を介して駆動軸３６と連結される。
【００３１】
【発明の効果】
本発明の断路装置によれば、電路を構成する三相導体と、この電路を区分する断路器と、電路を構成する三相導体の一方から分岐した分岐導体とを収納する断路装置を、余分な分岐容器を設けることなく構成することを可能にする。これにより、ＧＩＳの縮小化およびコストダウンに寄与することができる。
【図面の簡単な説明】
【図１】従来のＧＩＳにおける断路装置の構成（その１）を示す図である。
【図２】従来のＧＩＳにおける断路装置の構成（その２）を示す図である。
【図３】本発明のＧＩＳにおける断路装置の構成（その１）を示す図である。
【図４】本発明のＧＩＳにおける断路装置の構成（その２）を示す図である。
【図５】本発明のＧＩＳにおける断路装置の構成（その３）を示す図である。
【図６】本発明のＧＩＳにおける断路装置の構成（その４）を示す図である。
【図７】従来及び本発明の断路装置の単線結線図を示す図である。
【符号の説明】
１…断路器容器
２…主管
３、４…第１の枝管
５、６…第２の枝管
７、８…三相導体７
９…分岐導体
１０…接続導体
１１…絶縁スペーサ
１２…断路器
１３…可動接触子
１４…断路器側の可動接触子
１５…接地開閉器側の可動接触子
１６…断路器側の固定接触子
１７…接地開閉器側の固定接触子
１８…絶縁端子
１９…絶縁支持碍子
２０…絶縁操作軸
２１…接続導体
２２、２３…枝管
２４…分岐管路
２５…断路器
２６…固定接触子
２７…摺動接触子
２８…可動接触子
２９…駆動機構
３０…接地開閉器
３１…容器
３２…固定接触子
３３…摺動接触子
３４…可動接触子
３５…気密軸受け
３６…駆動軸
３７…リンク機構
３８、３９…三相導体
４０…分岐導体
【図１】
2004320883.tif 000003
【図２】
2004320883.tif 000004
【図３】
2004320883.tif 000005
【図４】
2004320883.tif 000006
【図５】
2004320883.tif 000007
【図６】
2004320883.tif 000008
【図７】
2004320883.tif 000009